(57)【要約】垂直上向きに取り付けられた支柱のランプ受けのねじ込み結合式レセプタクルに結合されたＬＥＤランプがここに開示される。ＬＥＤランプは、光源部と放熱手段とハウジングとを含む。光源部は一つ以上のＬＥＤ及びＰＣＢを有する。放熱手段は、光源部の熱気を放出するため、前記ＰＣＢに接合される。ハウジングは、前記放熱手段を支持し、ねじ込み結合式電源連結部を有するように構成される。ＬＥＤランプでは、前記光源部のＬＥＤは、ＬＥＤからの光ビームが所定の下向きの傾斜角で照射されるように、放熱手段に支持配置される。
2011501378.tif 000002
【特許請求の範囲】
【請求項１】
垂直上向きに設置される支柱のランプ受け（３）のねじ込み結合式レセプタクル（３ａ）に結合されるＬＥＤ（Light Emitting Diode、発光ダイオード）ランプであって、該ＬＥＤランプは、
一つ以上のＬＥＤ（１１）及びＰＣＢ（Printed Circuit Board、プリント基板）（１３）を含む光源部（１０）と、
前記ＰＣＢ（１３）に接合され、前記光源部（１０）からの熱気を放出するための放熱手段（３０）と、
前記放熱手段（３０）を支持し、ねじ込み結合式電源連結部（５１）を有するように構成されたハウジング（５０）とを備え、
前記光源部（１０）の前記ＬＥＤ（１１）は、前記ＬＥＤ（１１）からの光ビームが下方に所定の傾斜角で照射されるように前記放熱手段（３０）に支持配置される、ＬＥＤランプ。
【請求項２】
前記光源部（１０）は、フレキシブルＰＣＢ（ＦＰＣＢ）である前記ＰＣＢ（１３）が漏斗形状を有するように形成されるように構成され、かつ、前記ＬＥＤ（１１）が、前記光ビームが前記ハウジングを避けて下向きに所定の傾斜角で照射されるように埋め込まれ、
前記放熱手段（３０）は、漏斗形のＰＣＢ（１３ａ）が漏斗形の胴体（３１）の外周面に装着されるように、前記漏斗形のＰＣＢ（１３ａ）に対応する漏斗形の胴体（３１）を備える、請求項１に記載のＬＥＤランプ。
【請求項３】
前記放熱手段（３０）は、前記胴体（３１）にコイル型放熱ピン（３３）を結合することにより構成され、前記コイル型放熱ピン（３３）は、線材が四角形状又は円形状に連続的に巻かれて四角形コイルもしくは円形コイルに形成されるか、又は、四角形状もしくは円形状の個々のリングコイルが連続配列されて形成される、請求項２に記載のＬＥＤランプ。
【請求項４】
前記放熱手段（３０）は、カバー設置溝（３１４）が前記胴体（３１）の放熱ピン搭載部の下面に形成され、前記カバー設置溝（３１４）に前記光源部を保護するための透明カバー（６０）が設置される、請求項２に記載のＬＥＤランプ。
【請求項５】
前記放熱手段（３０）は、コイル型放熱ピン搭載部（３１６）が、前記胴体（３１）の上端にフランジ形状を有するように、形成されるように、構成される、請求項３に記載のＬＥＤランプ。
【請求項６】
前記放熱手段（３０）は、電源供給制御部（４０）と連結して動作する温度センサー（４１）が結合される、請求項１に記載のＬＥＤランプ。
【請求項７】
前記光源部（１０）を前記ハウジング（５０）から所定長さ分だけ離隔させるように、前記ハウジング（５０）と前記放熱手段（３０）との間に設置され、かつ、内部に電線通路（７３）が形成された柱部（７１）とハウジングカバー部（７５）とを備えるランプ支持体（７０）を、さらに、含む、請求項１に記載のＬＥＤランプ。
【請求項８】
前記ランプ支持体（７０）は、前記ランプ支持体（７０）の外表面が光を反射する素材によってコーティングされるように構成される、請求項７に記載のＬＥＤランプ。
【請求項９】
前記透明カバー（６０）は、前記透明カバー（６０）の上端部が前記カバー設置溝（３１４）に挿入されるように、かつ、前記透明カバー（６０）の下端部が、前記放熱手段（３０）の前記胴体（３１）にぴったりと結合されるランプ支持体（７０）に固定されるように、構成される、請求項４に記載のＬＥＤランプ。
【発明の詳細な説明】
【技術分野】
【０００１】
本発明は、垂直上向きに取り付けられるねじ込み結合式レセプタクル（receptacle）に取り付けられ、ＬＥＤ（Light Emitting Diode、発光ダイオード）の光ビームが所定の下向き傾斜角で照射できるようにして、光の損失を最小化し、有効光効率を顕著に上昇させ、周辺景観を上層部から底部まで満遍なく照らして照明死角区域を解消することにより、公園のような屋外施設の夜間照明品質を顕著に向上させるＬＥＤランプに関する。
【背景技術】
【０００２】
ＬＥＤは、従来の光源に比べ、寿命が長いだけでなく、電気エネルギーが光エネルギーに直接変換されることから、エネルギー効率に優れ、消費電力はより少ない。また、このようなＬＥＤは、高光強度及び高速応答特性を有している。従って、このようなＬＥＤを光源とする照明機器が一般家庭用から街灯及び公園灯のような屋外用に至るまで多様に開発されている。
【０００３】
さらに、公園又は遊園地に設置される従来の屋外施設用照明機器は、図９に示すように、地面に立設される支柱２の上にランプ受け３が設けられ、ランプ受け３には、ねじ込み結合式レセプタクル３ａが備えられて、ランプ１００を垂直上向きに取り付けている。
【０００４】
前記の従来の照明機器では、ランプ１００がねじ込み結合式レセプタクルに垂直上向きに取り付けられることにより、周辺の上方区域は広く照らす反面、周辺の下方区域には、光が達せず、暗い照明死角区域が生じるといった問題点があった。
【０００５】
このような問題点に対する解決案として、必要に応じ、ランプの上部に反射鏡を設ける方法がある。しかし、この場合、照明効率が落ち、機器の規模が大きくなるため占有空間が拡大して製造コストが上がるという問題点がある。
【０００６】
さらに、ＰＣＢ（Printed Circuit Board、プリント基板）取付面を四角柱形状にして、光ビームがＰＣＢの周囲から水平方向に照射される技術も開示されている。しかし、この場合は、光ビームが水平方向にのみ広がることから、下方の照明死角区域を依然として解消できず、有効光効率が低いという問題点があった。
【発明の概要】
【発明が解決しようとする課題】
【０００７】
従って、本発明は、従来技術の前記の問題を留意して案出されたもので、本発明の目的は、垂直上向きに取り付けられるねじ込み結合式レセプタクルに取り付けられ、ＬＥＤの光ビームが所定の下向き傾斜角で照射できるようにして、光の損失を最小化し、有効光効率を顕著に上昇させ、周辺景観を上層部から底部まで満遍なく照らして照明死角領域を解消することにより、公園のような屋外施設の夜間照明品質を顕著に向上させるＬＥＤランプを提供することにある。
【課題を解決するための手段】
【０００８】
上記の目的を達成するため、本発明は、垂直上向きに設置される支柱のランプ受けのねじ込み結合式レセプタクルに結合されるＬＥＤランプであって、該ＬＥＤランプは、一つ以上のＬＥＤ及びＰＣＢを含む光源部と、前記ＰＣＢに接合され、前記光源部からの熱気を放出するための放熱手段と、前記放熱手段を支持し、ねじ込み結合式電源連結部を有するように構成されたハウジングとを備え、前記光源部の前記ＬＥＤは、前記ＬＥＤからの光ビームが下方に所定の傾斜角で照射されるように前記放熱手段に支持配置される、ＬＥＤランプを提供する。
【発明の効果】
【０００９】
上記のように構成される本発明によるＬＥＤランプは、垂直上向きに取り付けられるねじ込み結合式レセプタクルに取り付けられ、ＬＥＤから照射される光ビームを所定の下向き傾斜角で照射できるようにして、光の損失を最小化し、有効光効率を顕著に上昇させる。また、本発明によるＬＥＤランプは、周辺景観を上層部から底部まで満遍なく照らすことができ、照明死角領域を解消することにより、公園のような屋外施設の夜間照明品質を顕著に向上させる。
【図面の簡単な説明】
【００１０】
【図１】図１は、本発明の一実施形態によるＬＥＤランプの構成を示す断面分解図である。
【図２】図２は、図１の組み立てられた図である。
【図３】図３は、図１の平面図である。
【図４】図４は、本発明の一実施形態によるＰＣＢの展開図である。
【図５】図５は、本発明の一実施形態による放熱手段の斜視図である。
【図６】図６は、本発明の別の実施形態によるＬＥＤランプの構成を示す図である。
【図７】図７は、本発明の別の実施形態によるＬＥＤランプの構成を示す図である。
【図８】図８は、図１の設置状態を示す図である。
【図９】図９は、従来の照明機器の構成を示す図である。
【発明を実施するための形態】
【００１１】
以下、添付図面を参照しながら本発明の実施形態によるＬＥＤランプを詳しく説明する。
【００１２】
図１は、本発明の一実施形態によるＬＥＤランプの構成を示す断面分解図、図２は図１の組み立てられた図、図３は図１の平面図、図８は図１の設置状態を示す図である。
【００１３】
図１〜図３及び図８に示すように、本実施形態によるＬＥＤランプ１は、垂直上向きに取り付けられた支柱のランプ受け３のねじ込み結合式レセプタクル３ａに結合され、かつ、一つ以上のＬＥＤ１１及びＰＣＢ１３を有する光源部１０と、前記ＰＣＢ１３に接合され、光源部１０の熱気を放出するための放熱手段３０と、前記放熱手段３０を支持し、ねじ込み結合式電源連結部５１が備えられたハウジング５０とを含んで構成される。本実施形態において、前記光源部１０のＬＥＤ１１は、ＬＥＤ１１からの光ビームが所定の下向きの傾斜角で照射されるように、放熱手段３０に支持配置される。
【００１４】
前記光源部１０は、フレキシブルＰＣＢ（ＦＰＣＢ）であるＰＣＢ１３が漏斗形状を有するように形成されるように構成され、ＬＥＤ１１は、光ビームがハウジング５０に向けられず、所定の下向きの傾斜角で照射されるように、埋め込まれている。前記放熱手段３０は、前記漏斗形ＰＣＢ１３ａが漏斗形の胴体３１の外周面に装着されるように、前記漏斗形ＰＣＢ１３ａに対応する漏斗形の胴体３１を含んで構成されるのが望ましい（図５参照)。
【００１５】
前記光源部１０は、図４の展開図に示されるように、フレキシブルＰＣＢ１３を扇形に形成して放熱手段３０の胴体３１に取り付けられるように構成する。
【００１６】
また、前記放熱手段３０は、胴体３１にコイル型放熱ピン３３を結合することにより構成される。前記コイル型放熱ピン３３は、線材が四角形状又は円形状に連続的に巻かれて四角形コイルもしくは円形コイルに形成されるか、又は、四角形状もしくは円形状の個々のリングコイル（図示省略）が連続配列されて形成されるのが望ましい。
【００１７】
前記コイル型放熱ピン３３は、空気停滞現象を防止するために放熱表面積が非常に広く形成されることによって、エア・ロック現象を防ぎ、自然通風がなされる環境で光源部１０から発散される熱気を速やかに放熱させる。
【００１８】
また、前記放熱手段３０で、カバー設置溝３１４が胴体３１の放熱ピン搭載部３１６の下面に形成され、カバー設置溝３１４に光源部１０を保護するための透明カバー６０が設置されるのが望ましい。
【００１９】
漏斗形の前記放熱手段３０は、コイル型放熱ピン３３が搭載されるコイル型放熱ピン搭載部３１６が、胴体３１の上端にフランジ形状を有するように、形成されるように、構成できる。
【００２０】
前記コイル型放熱ピン３３は、コイル型放熱ピン３３の配列に合わせて、放熱ピン搭載部３１６に挿入溝３１７が形成されるように固定でき、保持体３５は、挿入溝３１７に対向して配置されるように、コイル型放熱ピン３３に嵌め込まれ、ボルトを用いて固定される（図５参照)。
【００２１】
また、前記放熱手段３０には、電源供給制御部４０と連結して動作する温度センサー４１が結合される。
【００２２】
また、本実施形態によるＬＥＤランプ１は、光源部１０をハウジング５０から所定長さ分だけ離隔させるように、前記ハウジング５０と放熱手段３０との間に設置され、かつ、内部に電線通路７３が形成された柱部７１とハウジングカバー部７５とを備えるランプ支持体７０を含む。
【００２３】
前記ランプ支持体７０は、外表面が光を反射する素材によってコーティングされるように構成されるのが望ましい。本実施形態では、コーティング素材はクロムでも良い。
【００２４】
また、透明カバー６０は、透明カバー６０の上端部がカバー設置溝３１４に挿入されるように、かつ、透明カバー６０の下端部６１が、放熱手段３０の胴体３１にぴったりと結合されるランプ支持体７０に固定されるように、構成することができる。
【００２５】
前記ランプ支持体７０は、ハウジング５０が螺合されるねじ部７５１がハウジングカバー部７５に形成されるように、かつ、外部へ熱を発散するスカート部７５３が、ハウジング５０を包囲するハウジングカバー部７５に形成されるように、構成される。ランプ支持体７０は、放熱手段３０の胴体３１と螺合されるのが望ましい。
【００２６】
次に、前記の構成からなる本実施形態によるＬＥＤランプ１の設置及び動作を説明する。
【００２７】
本実施形態は、支柱のランプ受け３及びねじ込み結合式レセプタクル３ａを、ＬＥＤランプ１の下に、公園灯の設置のため用いる支柱２に垂直上向きに取り付けることが核心概念といえる。さらに、光源部１０のＬＥＤ１１が支柱２の上部から所定の下向き傾斜角で光ビームを照射するように光源部１０を設置することが核心概念といえる。
【００２８】
即ち、ＬＥＤ１１が、前記ねじ込み結合式レセプタクル３ａに結合されるハウジング５０に対して斜めに設置される。
【００２９】
本実施形態は、放熱手段３０の胴体３１を漏斗形状に形成し、ＬＥＤ１１が埋め込まれたフレキシブルＰＣＢ１３を胴体３１の外周面に配置させて、フレキシブルＰＣＢ１３に埋め込まれたＬＥＤ１１が所定の下向き傾斜角で光ビームを照射できるようにする。この場合、放熱手段３０の漏斗形の胴体３１及びＰＣＢ１３は、ＬＥＤ１１からの光ビームがハウジング５０を避けて照らすように、所定の角度で傾くように構成する。従って、ＬＥＤ１１からの光ビームがハウジング５０に遮断されることに因って発生する光の損失を減少することができ、有効光効率を極大化することができる。
【００３０】
また、前記ランプ支持体７０は、光源部１０をハウジング５０からその柱部７１の長さ分だけ離隔させるため、放熱手段の胴体３１及びＰＣＢ１３の漏斗半径を大きくしなくても、ハウジング５０に因る光の損失を減少することができる。
【００３１】
また、前記コイル型放熱ピン３３は、放熱表面積を非常に広く形成して放熱性能を顕著に向上させる。従って、発熱負荷の高い高出力ＬＥＤランプの点灯に伴う放熱を送風ファンがなくても円滑に行うことができる。
【００３２】
一方、放熱手段の胴体３１に取り付けられる温度センサー４１と連結して動作する電源供給制御部４０は、放熱手段３０の温度が設定温度以上に上昇した時は、自動的に光源部１０への電源供給を遮断して光源部１０を保護するように制御し、放熱手段の温度が設定温度以下になったら、再び電源を供給するように制御する。
【００３３】
前記のように本実施形態は、垂直上向きに設置されるねじ込み結合式レセプタクルに設けられ、ＬＥＤ１１が光ビームを下向きに所定の傾斜角で照射できるようにして、光の損失を最小化し有効光効率を顕著に上昇させる。また、本実施形態は、周辺景観を上層部だけでなく底部まで満遍なく照らして照明死角区域を解消することにより、公園のような屋外施設の夜間照明品質を顕著に向上させる。
【００３４】
本発明の別の実施形態で、図６に示すように、ランプ支持体なしにハウジング５０に放熱手段３０を直接結合することができる。
【００３５】
また、本発明の別の実施形態で、ＰＣＢ１３及び放熱手段３０の胴体３１を水平に形成できる。光ビームを下向きに照射するように、ＬＥＤ１１を設けることができる。
【００３６】
以上、添付図面を参照しながら本発明の望ましい実施形態を説明した。本発明の明細書及び特許請求の範囲に用いられた用語や単語は通常の意味又は辞書の定義に限定して解釈されてはならず、本発明の技術的思想に一致する意味及び概念で解釈されなければならない。従って、本明細書に記載の実施形態及び図面に示された構成は、本発明の最も望ましい実施形態に過ぎず、本発明の技術的思想を全て表わすものではないため、本出願時点においてこれらを代替できる多様な均等物があり得ることを理解するべきである。
【産業上の利用可能性】
【００３７】
上記の構成からなる本発明によるＬＥＤランプは、垂直上向きに設置されるねじ込み結合式レセプタクルに設けられ、ＬＥＤからの光ビームを下向きに所定の傾斜角で照射できるようにして、光の損失を最小化し、有効光効率を顕著に上昇させる。また、周辺景観の上層部から底部まで満遍なく照らすことができ、照明死角区域を解消することにより、公園のような屋外施設の夜間照明品質を顕著に向上させる。
【符号の説明】
【００３８】
１    本発明の公園用ＬＥＤランプ
２    支柱
３    ランプ受け
３ａ    ねじ込み結合式レセプタクル
１０    光源部
１１    ＬＥＤ
１３    ＰＣＢ
３０    放熱手段
３１    胴体
４０    電源供給制御部
４１    温度センサー
５０    ハウジング
５１    電源連結部
６０    透明カバー
７０    ランプ支持体
７１    柱部
７５    ハウジングカバー部
３１２    装着部
３１４    カバー設置溝
３１６    放熱ピン搭載部
【図１】
2011501378.tif 000003
【図２】
2011501378.tif 000004
【図３】
2011501378.tif 000005
【図４】
2011501378.tif 000006
【図５】
2011501378.tif 000007
【図６】
2011501378.tif 000008
【図７】
2011501378.tif 000009
【図８】
2011501378.tif 000010
【図９】
2011501378.tif 000011
【国際調査報告】
2011501378.tif 000012
2011501378.tif 000013